(57)【要約】【課題】    本考案は、ペットを洗浄した後、又はペットが雨に濡れたときに、ペットに付着した水分を除去するタオルにおいて、簡易な構造で取り扱いも容易、かつペットの動きによって生じる水分の飛散を抑え、ペットの頭部や頸部にも装着・固定できるペット用タオルを提供する。【解決手段】    長方形、又は長方形の四隅を隅取りした形状のタオル地の短辺中央部が円弧状に切り込まれ、かつ前記円弧状の切り込まれた部分の両端部に面ファスナーを縫着し、あるいは結び紐を縫着したタオルによる。【選択図】    図１
0003107336.tif 000002
【実用新案登録請求の範囲】
【請求項１】
ペットを洗浄した後、又はペットが雨に濡れたときに、ペットの毛に付着した水分を除去するタオルにおいて、長方形又は長方形の四隅を隅取りした形状のタオルの短辺中央部が円弧状に切り込まれ、かつ前記円弧状に切り込まれた部分の両端部付近の相対する位置に、それぞれ面ファスナーを縫着してなることを特徴とするペット用タオル。
【請求項２】
前記長方形、又は長方形の四隅を隅取りした形状のタオルの四隅付近の相対する位置に、それぞれ面ファスナーを縫付してなることを特徴とする請求項１に記載のペット用タオル。
【請求項３】
ペットを洗浄した後、又はペットが雨に濡れたときに、ペットの毛に付着した水分を除去するタオルにおいて、長方形又は長方形の四隅を隅取りした形状のタオルの短辺中央部が円弧状に切り込まれ、かつ前記円弧状切り込まれた部分の両端部に結び紐を縫着してなることを特徴とするペット用タオル。
【請求項４】
前記ペット用タオルが綿１００％でパイル織りの素材にオレンジオイル天然リモネンを含浸加工してなることを特徴とする請求項１〜３のいずれか１項に記載のペット用タオル。
【考案の詳細な説明】
【技術分野】
【０００１】
本考案は、ペットを洗浄した後、又はペットが雨に濡れたときにペットの毛に付着した水分を除去するためのタオルに関する。
【背景技術】
【０００２】
ペットを洗浄した後、又はペットが雨に濡れたときに、ペットの毛に付着した水分をふき取るには、従来は使い古したバスタオル、浴用タオル、ハンドタオル、紙タオルなどを使用するのが一般であった。しかし、濡れたペットは本能的に身体を揺すって毛に付着した水分を飛散させえるので、動き回るペットを片手で捕まえながら、もう一方の手で前記のバスタオル、浴用タオル、ハンドタオル、紙タオルなどを用いてペットの毛に付着した水分をふき取るのはかなり困難な作業であった。
【０００３】
そこで、この問題を解決しようとする発明や考案がいくつかなされてきた。例えば特開平８−３３１９９３号公報では、ペットを粗拭きする粗拭き室、仕上げ拭きする仕上げ拭き室、乾燥させる乾燥室をタオル素材で筒状に形成し、その中にペットを入れることによってペットが身体を揺すっても水分が周囲に飛散することを防ぐ発明が開示されている。また、登録実用新案第３０１８６６５号公報には、伸縮性及び吸水性の良好な布地で形成された犬の背中を覆う背布の４隅にペットの四肢を入れる筒布を突設し、また背布の両側にペットの腹部に被せる腹布を設けた四肢ペット用タオルの考案が公示されている。さらに、実開昭５９−１９１９９５号公報、実開平６−３４５９２号公報ではいずれもタオルの端部に面ファスナーを取り付けたもの示されている。
【特許文献１】特開平８−３３１９９３号公報
【特許文献２】登録実用新案第３０１８６６５号公報
【特許文献３】実開昭５９−１９１９９５号公報
【特許文献４】実開平６−３４５９２号公報
【考案の開示】
【考案が解決しようとする課題】
【０００４】
上記背景技術の特開平８−３３１９９３号公報のペット用タオルは、筒状タオルの中にペットを入れ順次粗拭き室、仕上げ拭き室、乾燥室と移動させるがその都度室の仕切を開閉する紐を操作する手間が存在し、登録実用新案第３０１８６６５号公報の四肢ペット用タオルではペットの四肢をそれぞれの筒布に差し込むという手間が存在する。また、実開昭５９−１９１９９５号公報のタオル、実開平６−３４５９２号公報の脱水用タオルは構造と使用方法が簡単で、ペットの胴体部に着装して使用には便利であるが、ペットの頭部や頸部に装着して使用する場合には面ファスナーがタオルの端部に縫着されているため比較的細い頭部や頸部ではタオルを緩やかにしか係止できず、結局タオルを頭部や頸部からずり落ちないよう片手で押さえながらの作業をしなければならないという問題がある。
【０００５】
本考案は、上記問題点に鑑み、簡易な構造で取り扱いも容易で、ペットの動きによって生じる水分の飛散を抑え、さらにペットの頭部や頸部にも装着・固定できるペット用タオルを提供する。
【課題を解決するための手段】
【０００６】
本発明者は、上記課題を下記の手段で解決した。
ペットを洗浄した後、又はペットが雨に濡れたときに、ペットの毛に付着した水分
を除去するタオルにおいて、長方形、又は長方形の四隅を隅取りした形状のタオルの短辺中央部が円弧状に切り込まれ、かつ前記円弧状に切り込まれた部分の両端部付近の相対する位置に、それぞれ面ファスナーを縫着してなることを特徴とするペット用タオル。
前記長方形、又は長方形の四隅を隅取りした形状のタオルの四隅付近の相対する
位置に、それぞれ面ファスナーを縫着してなることを特徴とする前項（１）に記載のペット用タオル。                                                                                        
【０００７】
（３）ペットを洗浄した後、又はペットが雨に濡れたときに、ペットの毛に付着した水分を除去するタオルにおいて、長方形、又は長方形の四隅を隅取りした形状のタオルの短辺中央部が円弧状に切り込まれ、前記円弧状に切り込まれた部分の両端部に結び紐を縫着してなることを特徴とするペット用タオル。
【０００８】
（４）前記ペット用タオルが綿１００％でパイル織の素材にオレンジオイル天然リモネンを含浸加工しているを特徴とする前項（１）〜（３）のいずれか１項に記載のペット用タオル。
【考案の効果】
【０００９】
本考案により下記の効果が発揮できる。
（ア）長方形、又は長方形の四隅を隅取りした形状のタオルの短辺中央部の円弧状に切り込まれた部分の両端部に縫着した面ファスナー、及び前記タオルの四隅に縫着した面ファスナーによって、若しくは長方形又は長方形の四隅を隅取りした形状のタオルの短辺中央部が円弧状切り込まれた両端部に縫着された結び紐によって前記タオルがペットの目の上、耳の前方にある凹部とペット胴体に装着・固定されるので、ペットの動きによるタオルの脱落がなく、両手を使って素早くペットの毛に付着した水分を周囲に飛散させることなくふき取ることができる。
【００１０】
（イ）タオルの短辺中央部の円弧状に切り込まれた部分のタオル縁端をペットの目の上、耳の前方にある凹部にあてがい顎の下で面ファスナー又は結び紐を接合又は結着してタオルを装着・固定するので、タオルでペットの目を覆うことがなく、ペットが不安に駆られるて暴れるのを抑止できる。
【００１１】
（ウ）綿１００％のパイル織りの素材にオレンジオイル天然リモネンを含浸させてあるので芳香を発し、ペットのみならず飼い主にも癒しの効果を与える。
【００１２】
（エ）オレンジオイル天然リモネン含浸加工の工程でタオル製造時に用いた糊を完全に取り除くため、優れた吸水性と柔軟性を持ったペット用タオルが得られる。
【００１３】
（オ）本ペット用タオルは両短部に同じ円弧状の切り込み部を設けたことで、前後を意識することなく使用できる。
【考案を実施するための最良の形態】
【００１４】
本考案のペット用タオルは、長方形、又は長方形の四隅を隅取りした形状のタオルの短辺中央部が円弧状に切り込まれ、かつ前記円弧状に切り込まれた部分の両端部付近の相対する位置に、それぞれ面ファスナーを縫着し、若しくは結び紐を縫着してなり、さらにその素材にオレンジオイル天然リモネンを含浸させた綿１００％のパイル織りを使用して、ペットの毛に付着した水分を周囲に飛散させることなく効果的にふき取れ、またオレンジオイル天然リモネンの芳香がペットのみならず飼い主にも癒しの効果を与えるものである。
【００１５】
本考案の実施の形態を実施例の図に基づいて説明する。
図１は本考案のペット用タオル実施例の構成図、図２は第２のペット用タオル実施例の構成図である。
図において１はペット用タオル、２は円弧状切り込み部、３は面ファスナー、４は結び紐である。
【実施例１】
【００１６】
本実施例は、図１に示すように、長方形四隅を隅取りした形状のタオル１の短辺中央部に円弧状の切り込み部２が構成され、かつ前記切り込み部２の両端部の相対する位置に面ファスナー３が縫着され、また、タオル１の四隅相対する場所にも面ファスナー３が縫着されている。
このペット用タオルを使用するにはタオル１の短辺中央部の円弧状切り込み部２をペットの目の上、耳の前方にある凹部にあてがい、顎の下で面ファスナーを接合させて、前記タオル１の片方の短辺部をペットの頭部に固定するとともに、タオル１のもう一方の短辺部をペットの胴体に巻くようにして、同短辺両隅に縫着された面ファスナーをペットの胴体の下で接合する。これによって前記タオル１がペットの頭部から尾部にかけて被さり、かつペットが動いても容易に脱落しなくなる。
本実施例ではタオルの形状を長方形の四隅を隅取りしたものとしたが、請求項１に記載のように長方形のものであってもよい、また小型ペット用ならば正方形であってもよい。さらに小型ペット用ならばタオルの四隅付近の相対する位置に縫着する面ファスナー３は省略されてもよい。
【実施例２】
【００１７】
本考案第２の実施例は、図２に示すように、長方形の四隅を隅取りした形状のタオル１の短辺中央部に円弧状の切り込み部２が構成され、かつ前記の切り込み部２の両端部の相対する位置に結び紐４が縫着されている。
このペット用タオル１を使用するには、タオル１の短辺中央部の円弧状切り込み部２をペットの目の上、耳の前方にある凹部にあてがい、顎の下で結び紐を結着して固定するとともに、前記タオル１の片方の短辺部をペットの頭部に固定するとともにタオル１のもう一方の短辺部に縫着された結び紐４をペット胴体の下で結着する。
本実施例ではタオルの形状を長方形の四隅を隅取りしたものにしたが、請求項１に記載のように長方形のものであってもよい。また小型ペット用ならば正方形であってもよい。これによって前記タオル１がペットの頭部から尾部にかけて被さり、かつペットが動いても容易に脱落しなくなる。
【図面の簡単な説明】
【００１８】
【図１】本考案のペット用タオル実施例の構成図
【図２】第２のペット用タオル実施例の構成図
【符号の説明】
【００１９】
１はペット用タオル
２は円弧状切り込み部
３は面ファスナー
４は結び紐
【図１】
0003107336.tif 000003
【図２】
0003107336.tif 000004